(57)【要約】【課題】シール面が波打つ等せず、高い防水性を発揮することができる上、見た目もよいキャビネットを提供する。【解決手段】パッキン枠３を、前扉２及びキャビネット本体４とは別個の金属板で、当該金属板の表裏両面に、防水性及び弾性を有する合成樹脂を吹き付けてなるものとし、前扉２を閉塞するとパッキン枠３の表面が前扉２側に、パッキン枠３の裏面がキャビネット本体４側に夫々当接して、前扉２とキャビネット本体４との間をシールするようにキャビネット本体４へ取り付けた。したがって、従来の帯状のパッキン部材の如く、前扉２とパッキン枠３との間をシールするシール面が波打ったりせず、高い防水性を発揮することができるし、見た目もよい。【選択図】図３
2015061040.tif 000002
【特許請求の範囲】
【請求項１】
少なくとも１面に開口を有するキャビネット本体と、前記キャビネット本体に片開き自在に取り付けられ、前記開口を開閉する扉体と、前記キャビネット本体と前記扉体との間に介在され、前記キャビネット本体内への水等の浸入を防止するシール部材とを備えたキャビネットであって、
前記シール部材が、少なくとも前記開口の周縁部を覆う金属板の表裏両面に、防水性及び弾性を有する合成樹脂を吹き付けてなり、
前記扉体により前記開口を閉塞した際に、前記シール部材の表面が前記扉体側に、前記シール部材の裏面が前記キャビネット本体側に夫々当接するように設けられていることを特徴とするキャビネット。
【請求項２】
前記シール部材が、前記キャビネット本体に対して片開き自在に取り付けられていることを特徴とする請求項１に記載のキャビネット。
【発明の詳細な説明】
【技術分野】
【０００１】
本発明は、たとえば電気機器等を収納するためのキャビネットに関するものである。
【背景技術】
【０００２】
従来、たとえば分電盤や配電盤等を収納するためのキャビネットとしては、前面を除く他の５面を閉塞するキャビネット本体と、当該キャビネット本体の前面開口を開閉する扉体とを備えてなるものが知られている。そして、そのようなキャビネットにおいては、前面開口からの水等の浸入を防止するため、防水性及び弾性を有する合成樹脂を帯状に形成してなるパッキン部材を、前面開口を囲むように貼着して、扉体の後面とキャビネット本体の前面との間をシール可能としていた（たとえば特許文献１）。
【先行技術文献】
【特許文献】
【０００３】
【特許文献１】特開２０１０−２７０８７６号公報
【発明の概要】
【発明が解決しようとする課題】
【０００４】
上記パッキン部材は、渦状に巻いた状態で保管されていることが多いため、パッキン部材を貼着しようとしても、扉体とのシール面が波打つ等してしまいやすい。したがって、そのようなシール面が波打っているようなキャビネットでは、見た目が悪い上、十分な防水性を発揮しづらいという問題がある。
【０００５】
そこで、本発明は、上記問題に鑑みなされたものであって、シール面が波打つ等せず、高い防水性を発揮することができる上、見た目もよいキャビネットを提供しようとするものである。
【課題を解決するための手段】
【０００６】
上記目的を達成するために、本発明のうち請求項１に記載の発明は、少なくとも１面に開口を有するキャビネット本体と、前記キャビネット本体に片開き自在に取り付けられ、前記開口を開閉する扉体と、前記キャビネット本体と前記扉体との間に介在され、前記キャビネット本体内への水等の浸入を防止するシール部材とを備えたキャビネットであって、前記シール部材が、少なくとも前記開口の周縁部を覆う金属板の表裏両面に、防水性及び弾性を有する合成樹脂を吹き付けてなり、前記扉体により前記開口を閉塞した際に、前記シール部材の表面が前記扉体側に、前記シール部材の裏面が前記キャビネット本体側に夫々当接するように設けられていることを特徴とする。
請求項２に記載の発明は、請求項１に記載の発明において、前記シール部材が、前記キャビネット本体に対して片開き自在に取り付けられていることを特徴とする。
【発明の効果】
【０００７】
本発明によれば、キャビネット本体内への水等の浸入を防止するシール部材として、少なくとも開口の周縁部を覆う金属板の表裏両面に、防水性及び弾性を有する合成樹脂を吹き付けてなるものを採用している。したがって、従来の帯状のパッキン部材のようにシール面が波打ったりせず、高い防水性を発揮することができるし、見た目もよい。
また、シール部材を、キャビネット本体に対して片開き自在に取り付けているため、たとえばキャビネット本体内へ電気機器を収納したり、電気機器をメンテナンスしたり等といった作業時には、シール部材を扉体と共に開放すればキャビネット本体の開口を広く開放することができる。したがって、シール部材が上述したような作業の邪魔とならず、キャビネットの使い勝手の向上を図ることができる。
【図面の簡単な説明】
【０００８】
【図１】キャビネットの外観を示した斜視説明図である。
【図２】前扉を開放した状態を示した斜視説明図である。
【図３】前扉及びパッキン枠を開放した状態を示した斜視説明図である。
【図４】パッキン枠を示した斜視説明図である。
【図５】前扉及びパッキン枠を閉塞した状態にあるキャビネットの水平断面を下方側から示した説明図である。
【発明を実施するための形態】
【０００９】
以下、本発明の一実施形態となるキャビネットについて、図面にもとづき詳細に説明する。
【００１０】
図１は、キャビネット１の外観を示した斜視説明図である。図２は、前扉２を開放した状態を示した斜視説明図であり、図３は、前扉２及びパッキン枠３を開放した状態を示した斜視説明図である。
キャビネット１は、前面を除く他の５面を閉塞するキャビネット本体４と、キャビネット本体４の前面開口５を開閉する前扉２と、キャビネット本体４内への水等の浸入を防止すべく、前扉２とキャビネット本体４との間に介在して前扉２とキャビネット本体４との間をシールするパッキン枠３とを備えてなるものであって、キャビネット本体４の内部空間には、分電盤や配電盤等の図示しない電気機器を収納可能となっている。また、前扉２及びパッキン枠３は、上下方向を軸として回動自在にキャビネット本体４の前面右側に蝶着されている。また、キャビネット本体４の前面開口５を囲むように、前面開口５の周縁部を折り返してなる水切り部６が設けられている。なお、７は、前扉２の前面側に設けられ、前扉２を開閉する際に作業者が把持するハンドルであり、８は、前扉２の後面側に設けられ、ハンドル７の操作に応じて動作し、前扉２をキャビネット本体４に対して施錠／解錠するための錠機構である。
【００１１】
ここで、本発明の要部となるパッキン枠３について、図２〜図５をもとに詳細に説明する。図４は、パッキン枠３を示した斜視説明図である。図５は、前扉２及びパッキン枠３を閉塞した状態にあるキャビネット１の水平断面を下方側から示した説明図である。
パッキン枠３は、弾性を有する薄い金属板（たとえば、厚さ１．０ｍｍ〜１．６ｍｍ程度の鉄板）からなる矩形フレーム状の部材であって、キャビネット本体４に対して閉塞した際、外周側が水切り部６よりも外側へ突出する一方、内周側が水切り部６よりも開口５内側へ突出するような大きさとされ、開口５の周縁部を被覆可能となっている。また、パッキン枠３を構成する金属板の全面（表裏両面、及び周面を含む）には、防水性及び弾性を有する合成樹脂（たとえば塩化ビニルやナイロン等）を吹き付けてなる樹脂層３Ａが形成されている。
【００１２】
さらに、パッキン枠３の右側部（軸支側の側部）には、上下一対の軸受け部１１、１１が切り起こし状に設けられている。加えて、パッキン枠３の左側部（開放側の側部）で、キャビネット本体４に対して閉塞した際に僅かに水切り部６よりも開口５内側となる位置には、後方へ突出させた後、左右方向で外方へ折り曲げられてなる略Ｌ字状の掛止部１２が設けられている。該掛止部１２の後方への突出量は、水切り部６の前方への突出量と略同じとなっており、掛止部１２の左右方向での幅は、水切り部６から左側板までの幅と略同じとなっている。
【００１３】
上記パッキン枠３は、前扉２とキャビネット本体４との蝶着部において、扉側ヒンジ部９と本体側ヒンジ部１０との間に軸受け部１１を介在させることにより、キャビネット本体４に対して前扉２同様に上下方向を軸として片開き自在、且つ、着脱可能に取り付けられている。そして、パッキン枠３をキャビネット本体４に対して閉塞すると、パッキン枠３の裏面が水切り部６の表面に当接するとともに、掛止部１２が弾性変形してキャビネット本体４内に進入し、掛止部１２の表面が水切り部６及び水切り部６の周縁部の内面に当接する（すなわち、パッキン枠３がキャビネット本体４の開口５周縁に掛止する）。また、当該掛止状態のまま前扉２を閉塞すると、パッキン枠３の表面（パッキン枠３のフレーム部の表面）が前扉２の後面に当接し、前扉２の後面とキャビネット本体４の前面との間をシールする。なお、前扉２をキャビネット本体４に蝶着する構成については、従来周知の構成であり、前扉２とキャビネット本体４との何れか一方のヒンジ部に設けられた軸部を、何れか他方のヒンジ部に設けられた軸受け部で軸支する構成となっている。
【００１４】
以上のような構成を有するキャビネット１によれば、前扉２及びキャビネット本体４とは別個の金属板で、当該金属板の表裏両面に防水性及び弾性を有する合成樹脂を吹き付けてなるパッキン枠３をキャビネット本体４に取り付けており、前扉２を閉塞するとパッキン枠３の表面が前扉２側に、パッキン枠３の裏面がキャビネット本体４側に夫々当接して、前扉２とキャビネット本体４との間をシールするようにしている。したがって、従来の帯状のパッキン部材の如く、前扉２とパッキン枠３との間をシールするシール面が波打ったりせず、高い防水性を発揮することができるし、見た目もよい。
【００１５】
また、パッキン枠３を、前扉２同様にキャビネット本体４に対して片開き自在に取り付けているため、キャビネット本体４内へ電気機器を収納したり、収納されている電気機器のメンテナンスをしたり等といった作業時には、パッキン枠３を前扉２と共に開放すればキャビネット本体４の前面開口５を広く開放することができる。したがって、パッキン枠３が上述したような作業の邪魔とならず、キャビネット１の使い勝手の向上を図ることができる。
さらに、パッキン枠３をキャビネット本体４に対して着脱可能としているため、樹脂層３Ａが摩耗等した場合には、パッキン枠３を取り外してコーティングし直したり、パッキン枠３を交換したりすればよく、メンテナンス作業も容易となる。
【００１６】
さらにまた、パッキン枠３の右側部に上下一対の軸受け部１１、１１を設け、前扉２とキャビネット本体４との蝶着部において、扉側ヒンジ部９と本体側ヒンジ部１０との間に軸受け部１１を介在させることにより、パッキン枠３をキャビネット本体４に取り付けている。したがって、パッキン枠３のキャビネット本体４に対する着脱が非常に容易であるし、前扉２とキャビネット本体４との蝶着部において軸受け部１１、１１が緩衝部としても作用し、前扉２の開閉をスムーズに行うことができる。
加えて、パッキン枠３の左側部に、パッキン枠３をキャビネット本体４の開口５周縁に掛止するための略Ｌ字状の掛止部１２を設けている。したがって、パッキン枠３をキャビネット本体４に対して閉じた状態のまま前扉２を開閉することができ、キャビネット１の使い勝手が良い。また、キャビネット本体４に対して閉じた状態にあるパッキン枠３の位置が安定するため、ハンドル７を操作した際に錠機構８等とパッキン枠３とが接触するおそれがなく、傷の発生を防止可能で、パッキン枠３の長寿命化を図ることができる。
【００１７】
なお、本発明に係るキャビネットは、上記実施形態の態様に何ら限定されるものではなく、キャビネットの全体的な構成は勿論、キャビネット本体やパッキン枠の形状等について、本発明の趣旨を逸脱しない範囲で、必要に応じて適宜変更することができる。
【００１８】
たとえば、上記実施形態では、キャビネット本体の前面にのみ開口を設け、前面開口を開閉する扉体とキャビネット本体との間にシール部材を介在させる構成としているが、側面等に開口を設け、当該側面開口を開閉する扉体を有するものにおいては、側面開口と扉体との間にシール部材を介在させるように構成しても何ら問題はない。
また、上記実施形態では、シール部材を矩形フレーム状に形成しているが、少なくとも開口の周縁部を覆うようなものであれば、一枚板状のシール部材であってもよい。ただ、中央にキャビネット本体の開口を露出する開口部を備えたフレーム状に形成した方が、シール部材を一々開放したり取り外したりすることなく、キャビネット本体内部での作業を行うことができるというメリットがある。
【００１９】
さらに、上記実施形態では、キャビネット本体の開口を囲むように水切り部を設けているが、当該シール部材を採用することでシール性が高まるため、キャビネット本体に水切り部を設けないようにすることも可能である。
加えて、掛止部の有無やキャビネット本体への取付機構等についても、上記実施形態の構成に何ら限定されることはない。
【符号の説明】
【００２０】
１・・キャビネット、２・・前扉（扉体）、３・・パッキン枠（シール部材）、３Ａ・・樹脂層、４・・キャビネット本体、５・・開口、１１・・軸受け部、１２・・掛止部。
【図１】
2015061040.tif 000003
【図２】
2015061040.tif 000004
【図３】
2015061040.tif 000005
【図４】
2015061040.tif 000006
【図５】
2015061040.tif 000007